(57)【要約】【課題】電子機器と保護カバーとの電気的な接続及び固定を行うための操作性の向上を図る。【解決手段】携帯端末が着脱可能に装着される装着部３と、装着部３に装着された携帯端末と電気的に接続される接続端子４と、装着部３に装着された携帯端末に係合する係合ピン５と、接続端子４及び係合ピン５を装着部３内に突出させる突出位置と、接続端子４及び係合ピン５を装着部３から退避させる退避位置とに移動可能に設けられたスライドキーと、を備える。【選択図】図３
2013187825.tif 000002
【特許請求の範囲】
【請求項１】
電子機器が着脱可能に装着される装着部と、
前記装着部に装着された前記電子機器と電気的に接続される接続端子と、前記装着部に装着された前記電子機器に係合する係合部材と、
前記接続端子及び前記係合部材を前記装着部内に突出させる突出位置と、前記接続端子及び前記係合部材を前記装着部から退避させる退避位置とに移動可能に設けられた操作部材と、
を備える電子機器用の保護カバー。
【請求項２】
前記装着部には、前記電子機器が所定方向に沿って挿入されて装着され、
前記係合部材は、前記装着部に対して前記電子機器を挿入する方向において、前記接続端子の位置よりも上流側に配置されている、請求項１に記載の電子機器用の保護カバー。
【請求項３】
前記係合部材は、前記挿入する方向において、前記接続端子に隣接して配置されている、請求項２に記載の電子機器用の保護カバー。
【請求項４】
複数の前記接続端子を備え、
前記係合部材及び前記複数の接続端子は、前記挿入する方向に沿って配列されている、請求項２に記載の電子機器用の保護カバー。
【請求項５】
前記接続端子と電気的に接続された二次電池を備える、請求項１ないし４のいずれか１項に記載の電子機器用の保護カバー。
【発明の詳細な説明】
【技術分野】
【０００１】
本発明は、電子機器を保護するために装着される保護カバーに関する。
【背景技術】
【０００２】
外部から加わる衝撃から電子機器を保護するための保護カバーが知られている。この種の保護カバーとしては、電子機器が着脱可能に装着される装着部と、装着部に装着された電子機器を充電するための二次電池とを有する構成が開示さている（例えば特許文献１）。
【０００３】
特許文献１には、電子機器が収容される収容部の底部に、電子機器に充電するための二次電池及び接続端子が設けられたホルスタの構成が開示されている。電子機器が収容部に収容されたときに、電子機器の端子部と、収容部に配された接続端子とが電気的に接続され、電子機器に二次電池から電力が供給される。
【０００４】
また、電子機器としての携帯端末に用いられる保護カバーとしても、携帯端末に充電することが可能なジャケットが提案されている。このジャケットは、携帯端末が着脱可能に装着される装着部と、外部電源から供給された電力が充電する二次電池とを有している。装着部は、二次電池から電力を携帯端末に供給するための接続端子と、装着部に携帯端末に固定するために携帯端末に係合される係合部材とを有している。
【０００５】
接続端子及び係合部材は、装着部内に突出する突出位置と、装着部から退避した退避位置とに進退可能に設けられている。また、ジャケットは、接続端子を操作するための接続用のスライドキーと、係合部材を操作するための固定用のスライドキーとを有している。ユーザは、ジャケットの装着部内に携帯端末が装着されたときに、２つのスライドキーを手動でそれぞれ操作することによって、携帯端末とジャケットとの電気的な接続と、ジャケットと携帯端末との固定をそれぞれ行っている。
【先行技術文献】
【特許文献】
【０００６】
【特許文献１】特開２００７−１１６３６９号公報（図２）
【発明の概要】
【発明が解決しようとする課題】
【０００７】
ところで、上述したように、２つのスライドキーをそれぞれ用いて、装着部に装着された携帯端末を固定する操作と、携帯端末と接続端子を電気的に接続する操作とをそれぞれ行う必要があり、これらの操作が煩雑であった。
【０００８】
また、ユーザが誤ってスライドキーを操作したとき、装着部内に接続端子が突出された状態で携帯端末が装着部に装着された場合に、携帯端末に接続端子が衝突し、携帯端末の損傷や接続端子の破損を招くおそれがある。
【０００９】
そこで、本発明は、上記関連する技術の課題を解決することができる電子機器用の保護カバーを提供することを目的とする。本発明の目的の一例は、１つの操作部材だけによって、接続端子及び係合部材を装着部に対して進退動作させることを可能とし、保護カバーの取扱時の操作性を向上することができる電子機器用の保護カバーを提供することにある。
【課題を解決するための手段】
【００１０】
上述した目的を達成するため、本発明に係る電子機器用の保護カバーは、電子機器が着脱可能に装着される装着部と、装着部に装着された電子機器と電気的に接続される接続端子と、装着部に装着された電子機器に係合する係合部材と、接続端子及び係合部材を装着部内に突出させる突出位置と、接続端子及び係合部材を装着部から退避させる退避位置とに移動可能に設けられた操作部材と、を備える。
【発明の効果】
【００１１】
本発明によれば、１つの操作部材だけを移動操作することで、接続端子及び係合部材を装着部に対して進退動作させることが可能になり、保護カバーの取扱時の操作性を向上することができる。
【図面の簡単な説明】
【００１２】
【図１】実施形態の携帯端末用のジャケットを示す斜視図である。
【図２】実施形態の携帯端末用のジャケットが備えるスライドキーを示す斜視図である。
【図３】実施形態の携帯端末用のジャケットが備える接続端子及び係合ピンを示す斜視図である。
【図４】実施形態の携帯端末用のジャケットに装着される携帯端末を示す斜視図である。
【図５】実施形態の携帯端末用のジャケットにおいて、接続端子及び係合ピンが装着部内に突出した状態を説明するための図である。
【図６】実施形態の携帯端末用のジャケットにおいて、接続端子及び係合ピンが装着部から退避した状態を説明するための図である。
【図７】実施形態の携帯端末用のジャケットにおいて、スライドキーによって係合ピンが移動される状態を説明するための斜視図である。
【図８】実施形態の携帯端末用のジャケットにおいて、装着部に携帯端末が装着されるときに、装着部に対して携帯端末が適切に位置決めされていない場合について説明するための断面図である。
【図９】実施形態の携帯端末用のジャケットにおいて、装着部に携帯端末が装着される場合について説明するための断面図である。
【発明を実施するための形態】
【００１３】
以下、本発明の具体的な実施形態について、図面を参照して説明する。
【００１４】
図１に、実施形態の携帯端末用のジャケットの斜視図を示す。図１において、（ａ）に、ジャケットに対して携帯端末が挿入される状態の斜視図を示し、（ｂ）に、ジャケットに携帯端末が装着された状態の斜視図を示す。
【００１５】
図２に、実施形態の携帯端末用のジャケットが備えるスライドキーの斜視図を示す。図２において、（ａ）に、スライドキーが設けられたジャケットの斜視図を示す、（ｂ）及び（ｃ）に、スライドキーを拡大した斜視図を示す。
【００１６】
図３に、実施形態の携帯端末用のジャケットが備える接続端子及び係合ピンの斜視図を示す。図３において、（ａ）に、接続端子及び係合ピンが設けられたジャケットの斜視図を示し、（ｂ）に、接続端子及び係合ピンを拡大した斜視図を示す。
【００１７】
図１（ａ）、図１（ｂ）及び図２（ａ）〜図２（ｃ）に示すように、電子機器用の保護カバーとしての、実施形態の携帯端末用のジャケット２は、携帯端末１が着脱可能に装着される装着部３と、装着部３に装着された携帯端末１と電気的に接続される複数の接続端子４と、装着部３に装着された携帯端末１に係合する係合部材としての係合ピン５と、接続端子４及び係合ピン５を装着部３内に突出させる突出位置と、接続端子４及び係合ピン５を装着部３から退避させる退避位置とにスライド可能に設けられた操作部材としてのスライドキー７と、を備えている。
【００１８】
また、ジャケット２は、一組のフロントカバーとリアカバーが組み合わされて構成されている。ジャケット２は、図１（ａ）及び図２（ａ）に示すように、内部に二次電池８が設けられており、外部電源を用いた充電機能及び携帯端末１への給電機能を有している。
【００１９】
図１（ａ）に示すように、装着部３の一端部には、装着部３に対して携帯端末１を矢印Ａ方向に沿って挿入するための挿脱口１０が形成されている。装着部３には、図３（ａ）、図３（ｂ）に示すように、挿入口１０が形成された一端部とは反対側の他端部の近傍に、接続端子４及び係合ピン５がそれぞれ配置される開口１１が形成されている。
【００２０】
図４に、実施形態の携帯端末用のジャケット２に装着される携帯端末１の斜視図を示す。図４において、（ａ）に、携帯端末１を背面側から見た斜視図を示す、（ｂ）に、携帯端末１の背面を拡大した斜視図を示す。
【００２１】
一方、ジャケット２に装着される携帯端末１の背面には、図４（ａ）、図４（ｂ）に示すように、ジャケット２の接続端子４が電気的に接続される複数の端子面１３と、係合ピン５が係合される凹部１４と、が設けられている。
【００２２】
図５に、実施形態の携帯端末用のジャケット２において、接続端子４及び係合ピン５が装着部３内に突出した状態を説明するための図を示す。図６に、実施形態の携帯端末用のジャケット２において、接続端子４及び係合ピン５が装着部３から退避した状態を説明するための図を示す。図５及び図６において、（ａ）に、接続端子４及び係合ピン５を移動させるスライドキー７の平面図を示し、（ｂ）に、接続端子４及び係合ピン５を移動させるスライドキー７の側面図を示す。図７に、実施形態の携帯端末用のジャケット２において、スライドキー７によって係合ピン５が移動される状態を説明するための斜視図を示す。
【００２３】
接続端子４は、金属板を折り曲げて形成されている。図５（ａ）、図５（ｂ）及び図６（ａ）、図６（ｂ）に示すように、接続端子４の一端には、携帯端末１に当接する接続片４ａが形成されており、接続端子４の他端に、二次電池８と電気的に接続されてジャケット２の内部に固定される固定片４ｂが形成されている。接続端子４は、接続片４ａが装着部３内に突出する状態で、固定片４ｂがジャケット２の内部に固定されている。
【００２４】
また、接続端子４には、図５（ａ）、図６（ａ）及び図７に示すように、接続片４ａに隣接する位置に、スライドキー７によって作動される作動片４ｃが形成されている。接続端子４は、固定片４ｂがジャケット２の内部に固定され、作動片４ｃの移動に伴って接続片４ａが弾性変位されることで、装着部３内に対して接続片４ａが進退動作する。
【００２５】
係合ピン５は、図３（ｂ）に示すように、ジャケット２の開口１１に対応する位置に設けられたガイド穴（不図示）内に、装着部３に対して進退する矢印Ｂ方向に移動自在に配置されている。図７に示すように、係合ピン５は、携帯端末１の凹部１４に係合される突部５ａと、スライドキー７に係合される軸部５ｂと、を有している。
【００２６】
そして、係合ピン５は、図３（ａ）、図３（ｂ）に示すように、装着部３に対して携帯端末１を挿入する方向において、接続端子４の位置よりも上流側、つまり挿脱口１０側に配置されている。これによって、接続端子４が装着部３内に突出された状態であっても、装着部３に向かって進入する携帯端末１に、係合ピン５が接続端子４よりも先に当接するように構成されており、係合ピン５は、携帯端末１に接続端子４が衝突することを防いでいる。
【００２７】
また、係合ピン５は、装着部３に対して携帯端末１を挿入する方向において、接続端子４に隣接して配置されている。これによって、係合ピン５は、装着部３に挿入される携帯端末１が接続端子４に衝突することを更に防いでいる。
【００２８】
加えて、係合ピン５及び２つの接続端子４が、装着部３に対して携帯端末１を挿入する方向に沿って配列されていることで、１つの係合ピン５によって複数の接続端子４を保護することが可能にされている。
【００２９】
スライドキー７は、図２（ｂ）及び図２（ｃ）に示すように、ジャケット２の側面に形成されたガイドスリット１６内に、図２中矢印Ａ方向に沿ってスライド可能に設けられている。
【００３０】
図７に示すように、スライドキー７は、ユーザが指先で操作するための操作タブ７ａと、係合ピン５の軸部５ｂが係合される係合溝部７ｂと、接続端子４の作動片４ｃを移動させるための操作面部７ｃと、を有している。操作面部７ｃは、係合溝７ｂに隣接して形成されている。
【００３１】
係合溝部７ｂは、係合ピン５の突部５ａを操作部３内に突出する方向に移動させるための第１溝１７ａと、突部５ａを装着部３内に突出させる第２溝１７ｂとを有している。
【００３２】
操作面部７ｃは、スライドキー７を退避位置から突出位置にスライドさせる方向において、係合溝部７ｂの位置に対して下流側に隣接して形成されている。これによって、スライドキー７で接続端子４及び係合ピン５を装着部３内に突出させたときに、係合ピン５が、接続端子４よりも先に装着部３内に突出するように構成されている。
【００３３】
操作面部７ｃは、接続端子４の接続片４ａを装着部３から退避させる第１面１８ａと、装着部３内に突出させた接続片４ａを装着部３内に突出させる方向に移動させる傾斜面である第２面１８ｂと、接続片４ａを装着部３内に突出させる第３面１８ｃと、が連続して形成されている。
【００３４】
第１面１８ａ及び第３面１８ｃは、スライド方向と平行な平坦面として形成されている。第２面１８ｂは、第１面１８ａから第３面１８ｃに向かって傾斜する傾斜面として形成されている。そして、作動片４ｃは、接続端子４が有する弾性力によって、第１面１８ａ、第２面１８ｂ及び第３面１８ｃに沿って作動片４ｃが摺動するように付勢されている。作動片４ｃが第３面１８ｃに当接された状態で、接続端子４の弾性力によって、接続片４ａは装着部３内に突出される。
【００３５】
本実施形態において、第１面１８ａ及び第３面１８ｃは、平行な平坦面として形成されたが、これは係合ピン５の突部５ａを装着部３内に突出させた突出位置から退避位置にスライドさせるように外部から何らかの力や衝撃が加わった際に退避位置にスライドすることを防ぐためのものである。このため、係合ピン５の突部５ａが退避位置にスライドし難くなるように、第１面１８ａ及び第３面１８ｃは、例えば第２面１８ｂ側が高く、反対側が低くなるように平行でない平坦面として形成されてもよい。また、携帯端末１が装着された状態において、第３面１８ｃは、携帯端末１と接続端子４とが電気的に接続された状態を保つための構造を担っているので、接続端子４が弾性変形する範囲内で、凹面などの平坦面とは異なる形状に形成されてもよい。
【００３６】
以上のように構成された実施形態のジャケット２において、スライドキー７によって接続端子４及び係合ピン５がそれぞれ移動される動作について説明する。
【００３７】
装着部３内に携帯端末１が装着された後、スライドキー７は、ユーザによってＡ方向にスライド操作される。スライドキー７をＡ方向にスライドさせることで、係合ピン５の軸部５ｂが、スライドキー７の係合溝部７ｂの第１溝１７ａから第２溝１７ｂに移動される。係合ピン５は、軸部５ｂが第２溝１７ｂに移動されたとき、突部５ａが装着部３内に突出され、装着部３に装着された携帯端末１の凹部１４に係合される。係合ピン５は、突部５ａが凹部１４に係合することで、装着部３に装着された携帯端末１をロックする。
【００３８】
また、スライドキー７をＡ方向にスライドさせることで、接続端子４の作動片４ｃが、スライドキー７の操作面部７ｃの第１面１８ａから第２面１８ｂを通って第３面１８ｃに移動される。接続端子４は、作動片４ｃが第３面に移動されたとき、接続片４ａが装着部３内に突出され、装着部３に装着された携帯端末１の端子面１３に当接される。接続端子４は、接続片４ａが端子面１３に当接することで、装着部３に装着された携帯端末１が、二次電池８によって充電される。
【００３９】
上述のように、スライドキー７をＡ方向に沿って退避位置から突出位置に移動させたときに、スライドキー７の係合溝部７ｂによって、係合ピン５の突部５ａが装着部３内に突出され、続いて、スライドキー７の操作面部７ｃによって、接続端子４の接続片４ａが装着部３内に突出される。
【００４０】
図８に、実施形態の携帯端末用のジャケット２において、装着部３に携帯端末１が装着されるときに、装着部３に対して携帯端末１が適切に位置決めされていない場合について説明するための断面図を示す。図９に、実施形態の携帯端末用のジャケット２において、装着部３に携帯端末１が装着される場合について説明するための断面図を示す。
【００４１】
図８に示すように、ジャケット２に携帯端末１が装着されたときに、携帯端末１と装着部３との位置合わせが適切に行われていない状態で、スライドキー７によって接続端子４及び係合ピン５を移動させてしまう場合がある。この場合であっても、係合ピン５が、接続端子４よりも先に装着部３内に突出するので、係合ピン５が、接続端子４よりも先に携帯端末１と当接することになる。これによって、携帯端末１と金属製の接続端子４との衝突を避け、携帯端末１の損傷や、接続端子４の変形等の破損を防止することができる。
【００４２】
また、図９に示すように、ジャケット２に携帯端末１が装着されるときに、装着部３内に携帯端末１が装着される前に、スライドキー７によって接続端子４及び係合ピン５を移動させてしまう場合がある。この場合であっても、装着部３内に突出された係合ピン５が、接続端子４の位置よりも挿入口１０側に位置しているので、係合ピン５が、接続端子４よりも先に携帯端末１に当接することになる。これによって、接続端子４と係合ピン５が装着部３内に突出している状態で、携帯端末１を装着部３に対してスライドさせて装着することが妨げられるので、接続端子４の変形や、接続端子４による携帯端末１の損傷や、接続端子４の変形等の破損を防ぐことができる。
【００４３】
また、スライドキー７のみをスライド操作することで、装着部３内から接続端子４及び係合ピン５が退避されるので、装着部３から携帯端末１を取り出すときに、係合ピン５と携帯端末１との係合状態のみが解除され、携帯端末１と接続端子４とが電気的に接続されている状態になることが防止されている。これによって、装着部３内から携帯端末１が取り出されるときに、装着部３内に突出された接続端子４の破損を防ぐことができる。
【００４４】
上述したように、実施形態のジャケット２によれば、以下に述べる効果が得られる。
【００４５】
第１の効果としては、１つのスライドキー７だけを移動操作して、接続端子４及び係合ピン５をそれぞれ移動させることによって、ジャケット２に装着された携帯端末１と接続端子４との接続と、携帯端末１とジャケット２との固定を容易に行うことが可能になる。このため、装着部２に携帯端末１を装着する際のジャケット２の取扱時の操作性、利便性を高めることができる。
【００４６】
第２の効果として、実施形態によれば、図８に示したように、装着部３に対して携帯端末１が装着されたとき、携帯端末１とジャケット２との位置合わせが適切に行われていない状態で接続端子４及び係合ピン５を移動させた場合であっても、係合ピン５が、接続端子４よりも先に携帯端末１と当接されるので、携帯端末１の損傷や、接続端子４の破損を防ぐことができる。
【００４７】
第３の効果としては、図９に示したように、装着部３に対して挿入される携帯端末１に、係合ピン５が、接続端子４よりも先に当接するので、接続端子４と係合ピン５が装着部３内に突出している状態で、携帯端末１が装着部３に装着されることを防ぎ、携帯端末１の損傷や、接続端子４の破損を防ぐことができる。
【００４８】
なお、本実施形態では、接続端子４及び係合ピン５を装着部３に突出させる突出位置と退避させる退避位置とにスライド可能に配された操作部材として、接続端子４及び係合ピン５のスライド方向と異なる方向にスライドするスライドキー７を備える構成を一例として説明した。しかし、スライドキーは、突出位置と退避位置との間にスライド可能に配され、少なくとも突出位置にて不要な外力や衝撃によって退避位置にスライドし難いロック構造を備えるものであれば、接続端子４及び係合ピン５のスライド方向と同じ方向にスライドするように構成されてもよく、公知のどのような構造が用いられてもよい。
【００４９】
なお、本発明に係る電子機器用の保護カバーは、接続端子が、電子機器に充電を行うための接続端子に限定されるものではなく、半導体メモリ等を含む電気回路と電気的に接続された接続端子であってもよいことは勿論である。
【００５０】
また、本発明に係る電子機器用の保護カバーは、携帯端末用のジャケットに限定されるものではなく、例えばタブレット型パーソナルコンピュータ、携帯ゲーム機等の他の電子機器に用いられて好適である。
【符号の説明】
【００５１】
１  携帯端末
２  携帯端末用のジャケット
３  装着部
４  接続端子
５  係合ピン
７  スライドキー
【図１】
2013187825.tif 000003
【図２】
2013187825.tif 000004
【図３】
2013187825.tif 000005
【図４】
2013187825.tif 000006
【図５】
2013187825.tif 000007
【図６】
2013187825.tif 000008
【図７】
2013187825.tif 000009
【図８】
2013187825.tif 000010
【図９】
2013187825.tif 000011